(57)【要約】【課題】空気を熱源とするフィンチューブ型の熱交換器を備えた室外ユニットにおいて、熱交換器の凝縮能力及び過冷却能力を損なうことなく、凝縮能力や過冷却能力に関連する種々のニーズに対応できるようにする。【解決手段】室外ユニットは、吸入口及び吹出口が形成されたユニットケーシングと、第１熱交換器と、第２熱交換器とを備えている。第１熱交換器は、ユニットケーシング内に配置されており、送風ファンによってユニットケーシング内に吸入された空気を熱源として冷媒を凝縮させることが可能である。第２熱交換器は、ユニットケーシング内に配置されており、送風ファンによってユニットケーシング内に吸入された空気を熱源として、第１熱交換器において凝縮された冷媒をさらに冷却することが可能であり、第１熱交換器とは別体に構成されている。【選択図】図４
2008089258.tif 000002
【特許請求の範囲】
【請求項１】
吸入口（１３ａ、１３ｂ）及び吹出口（１３ｃ）が形成されたユニットケーシング（１３）と、
前記ユニットケーシング内に配置されており、前記吸入口から空気を前記ユニットケーシング内に吸入し、前記吹出口から空気を前記ユニットケーシング外に吹き出すことが可能な送風ファン（２２）と、
前記ユニットケーシング内に配置されており、前記送風ファンによって前記ユニットケーシング内に吸入された空気を熱源として、冷媒を凝縮させることが可能な第１熱交換器（２１、３１）と、
前記ユニットケーシング内に配置されており、前記送風ファンによって前記ユニットケーシング内に吸入された空気を熱源として、前記第１熱交換器において凝縮された冷媒をさらに冷却することが可能な、前記第１熱交換器とは別体に構成された第２熱交換器（２４、３４）と、
を備えた空気調和装置の室外ユニット（２）。
【請求項２】
前記第２熱交換器（２４、３４）は、前記第１熱交換器（２１、３１）に対して、前記吸入口（１３ａ、１３ｂ）から前記吹出口（１３ｃ）に向かって前記ユニットケーシング（１３）内を流れる空気流の流れ方向の上流側に配置されている、請求項１に記載の空気調和装置の室外ユニット（２）。
【請求項３】
前記第２熱交換器（２４、３４）は、前記第１熱交換器（２１、３１）に対して、前記吸入口（１３ａ、１３ｂ）から前記吹出口（１３ｃ）に向かって前記ユニットケーシング（１３）内を流れる空気流の流れ方向に対向し、かつ、前記第１熱交換器に近接して配置されている、請求項２に記載の空気調和装置の室外ユニット（２）。
【請求項４】
前記ユニットケーシング（１３）内には、前記ユニットケーシングの前面、後面又は側面に対向するように電装品箱（１４）が配置されており、
前記第２熱交換器（２４、３４）は、前記電装品箱の下側に配置されている、
請求項２に記載の空気調和装置の室外ユニット（２）。
【請求項５】
前記第１熱交換器（２１、３１）は、所定の第１ピッチ（Ｐ１）で並んで配置される多数のフィン（２１ｂ、３１ｂ）が伝熱管（２１ａ、３１ａ）に取り付けられており、
前記第２熱交換器（２４、３４）は、所定の第２ピッチ（Ｐ２）で並んで配置される多数のフィン（２４ｂ、３４ｂ）が伝熱管（２４ａ、３４ａ）に取り付けられており、
前記第２ピッチは、前記第１ピッチよりも大きい、
請求項２〜４のいずれかに記載の空気調和装置の室外ユニット（２）。
【請求項６】
前記ユニットケーシング（１３）は、略直方体形状であり、
前記吸入口（１３ａ、１３ｂ）は、前記ユニットケーシングの上面以外の面に形成されており、
前記吹出口（１３ｃ）は、前記ユニットケーシングの上面に形成されており、
前記送風ファン（２２）は、前記吹出口に対向するように配置されており、
前記第１熱交換器（２１、３１）は、上端部が、前記ユニットケーシングの前面、後面又は側面に近接するとともに、下端部に向かうにつれて前記上端部が近接する面から遠ざかるように傾斜しており、
前記第２熱交換器（２４、３４）は、前記第１熱交換器、前記上端部が近接する面及び下面に挟まれた空間（Ｓ１、Ｓ２）に配置されている、
請求項１〜５のいずれかに記載の空気調和装置の室外ユニット（２）。
【発明の詳細な説明】
【技術分野】
【０００１】
本発明は、空気調和装置の室外ユニット、特に、空気を熱源とするフィンチューブ型の熱交換器を備えた空気調和装置の室外ユニットに関する。
【背景技術】
【０００２】
従来より、空気を熱源とするフィンチューブ型の室外熱交換器を備えた空気調和装置の室外ユニットにおいて、室外熱交換器の下部の伝熱管のみを過冷却器として機能させ、そして、過冷却器として機能する部分の上側の部分を冷媒の凝縮器として機能させる構成が採用されている（例えば、特許文献１参照。）。
【特許文献１】特開２００１−３３０３３２号公報（段落００２３〜００２８、及び図４〜図６）
【発明の開示】
【発明が解決しようとする課題】
【０００３】
しかし、上述の空気調和装置の室外ユニットにおいては、室外熱交換器の通風抵抗の低減や凝縮能力の向上等のために、室外熱交換器のうち冷媒の凝縮器として機能する部分のサイズを大きくしたい場合であっても、過冷却器として機能する部分が存在することから、過冷却器として機能する部分を小さくしなければならず、過冷却能力が損なわれてしまう。また、室内ユニットと室外ユニットとを接続する冷媒連絡管における冷媒のフラッシュ防止等のために、過冷却器として機能する部分の過冷却能力を大きくしたい場合であっても、室外熱交換器のうち冷媒の凝縮器として機能する部分のサイズを小さくしなければならず、凝縮能力が損なわれてしまう。
【０００４】
このように、フィンチューブ型の室外熱交換器の下部の伝熱管のみを過冷却器として機能させ、そして、過冷却器として機能する部分の上側の部分を冷媒の凝縮器として機能させる構成を室外熱交換器に採用すると、凝縮能力及び過冷却能力のいずれかが損なわれることになり、凝縮能力及び過冷却能力に関連する種々のニーズに対応することが困難である。
【０００５】
本発明の課題は、空気を熱源とするフィンチューブ型の熱交換器を備えた室外ユニットにおいて、熱交換器の凝縮能力及び過冷却能力を損なうことなく、凝縮能力や過冷却能力に関連する種々のニーズに対応できるようにすることにある。
【課題を解決するための手段】
【０００６】
第１の発明にかかる空気調和装置の室外ユニットは、吸入口及び吹出口が形成されたユニットケーシングと、送風ファンと、第１熱交換器と、第２熱交換器とを備えている。送風ファンは、ユニットケーシング内に配置されており、吸入口から空気をユニットケーシング内に吸入し、吹出口から空気をユニットケーシング外に吹き出すことが可能である。第１熱交換器は、ユニットケーシング内に配置されており、送風ファンによってユニットケーシング内に吸入された空気を熱源として、冷媒を凝縮させることが可能である。第２熱交換器は、ユニットケーシング内に配置されており、送風ファンによってユニットケーシング内に吸入された空気を熱源として、第１熱交換器において凝縮された冷媒をさらに冷却することが可能であり、第１熱交換器とは別体に構成されている。
【０００７】
この空気調和装置の室外ユニットでは、従来の空気を熱源とする室外熱交換器において凝縮器として機能する部分と一体に構成されていた過冷却器として機能する部分が、凝縮器として機能する第１熱交換器とは別体の第２熱交換器として、ユニットケーシング内に配置されているため、第２熱交換器のサイズや配置を自由に設定できるようになる。
【０００８】
これにより、この空気調和装置の室外ユニットでは、第２熱交換器のサイズとの兼ね合いを考慮することなく、第１熱交換器の通風抵抗の低減や凝縮能力の向上等のために、第１熱交換器のサイズを大きくすることができる。また、ユニットケーシング内における機器の配置の自由度が増す。さらに、第１熱交換器のサイズとの兼ね合いを考慮することなく、室内ユニットと室外ユニットとを接続する冷媒連絡管における冷媒のフラッシュ防止等のために、第２熱交換器のサイズを大きくすることができる。このように、この空気調和装置の室外ユニットでは、凝縮能力及び過冷却能力を損なうことなく、凝縮能力や過冷却能力に関連する種々のニーズに対応することができる。
【０００９】
第２の発明にかかる空気調和装置の室外ユニットは、第１の空気調和装置の室外ユニットにおいて、第２熱交換器は、第１熱交換器に対して、吸入口から吹出口に向かってユニットケーシング内を流れる空気流の流れ方向の上流側に配置されている。
【００１０】
この空気調和装置の室外ユニットでは、第１熱交換器において熱交換が行われる前の空気によって第２熱交換器を流れる冷媒を冷却することができるため、第１及び第２熱交換器における熱交換を効率よく行うことができる。
【００１１】
第３の発明にかかる空気調和装置の室外ユニットは、第２の発明にかかる空気調和装置の室外ユニットにおいて、第２熱交換器は、第１熱交換器に対して、吸入口から吹出口に向かってユニットケーシング内を流れる空気流の流れ方向に対向し、かつ、第１熱交換器に近接して配置されている。
【００１２】
この空気調和装置の室外ユニットでは、第１熱交換器と第２熱交換器とが一体に構成されていないにもかかわらず、第１及び第２熱交換器の設置スペースが小さくて済むようになる。
【００１３】
第４の発明にかかる空気調和装置の室外ユニットは、第２の発明にかかる空気調和装置の室外ユニットにおいて、ユニットケーシング内には、ユニットケーシングの前面、後面又は側面に対向するように電装品箱が配置されており、第２熱交換器は、電装品箱の下側に配置されている。
【００１４】
この空気調和装置の室外ユニットでは、ユニットケーシング内のデッドスペースを有効に利用することができる。
【００１５】
第５の発明にかかる空気調和装置の室外ユニットは、第２〜第４の発明のいずれかにかかる空気調和装置の室外ユニットにおいて、第１熱交換器は、所定の第１ピッチで並んで配置される多数のフィンが伝熱管に取り付けられており、第２熱交換器は、所定の第２ピッチで並んで配置される多数のフィンが伝熱管に取り付けられており、第２ピッチは、第１ピッチよりも大きい。
【００１６】
この空気調和装置の室外ユニットでは、第１熱交換器のフィンピッチよりも第２熱交換器のフィンピッチが大きくなるように設定されているため、第２熱交換器を通過する際の通風抵抗を小さくすることができ、第１熱交換器及び第２熱交換器全体における通風抵抗の均等化を図ることができる。
【００１７】
第６の発明にかかる空気調和装置の室外ユニットは、第１〜第５の発明のいずれかにかかる空気調和装置の室外ユニットにおいて、ユニットケーシングは、略直方体形状であり、吸入口は、ユニットケーシングの上面以外の面に形成されており、吹出口は、ユニットケーシングの上面に形成されており、送風ファンは、吹出口に対向するように配置されており、第１熱交換器は、上端部が、ユニットケーシングの前面、後面又は側面に近接するとともに、下端部に向かうにつれて上端部が近接する面から遠ざかるように傾斜しており、第２熱交換器は、第１熱交換器、上端部が近接する面及び下面に挟まれた空間に配置されている。
【００１８】
この空気調和装置の室外ユニットでは、上面から空気を吹き出すように構成された略直方体形状のユニットケーシング内に第１熱交換器が傾斜配置されることで、第１熱交換器、第１熱交換器の上端部が近接する面及び下面に挟まれた空間が形成されており、この空間に第２熱交換器が配置されているため、ユニットケーシング内のデッドスペースを有効に利用することができる。
【発明の効果】
【００１９】
以上の説明に述べたように、本発明によれば、以下の効果が得られる。
【００２０】
第１の発明では、凝縮能力及び過冷却能力を損なうことなく、凝縮能力や過冷却能力に関連する種々のニーズに対応することができる。
【００２１】
第２の発明では、第１及び第２熱交換器における熱交換を効率よく行うことができる。
【００２２】
第３の発明では、第１及び第２熱交換器の設置スペースが小さくて済むようになる。
【００２３】
第４の発明では、ユニットケーシング内のデッドスペースを有効に利用することができる。
【００２４】
第５の発明では、第１熱交換器及び第２熱交換器全体における通風抵抗の均等化を図ることができる。
【００２５】
第６の発明では、ユニットケーシング内のデッドスペースを有効に利用することができる。
【発明を実施するための最良の形態】
【００２６】
以下、図面に基づいて、本発明にかかる空気調和装置の室外ユニットの実施形態について説明する。
【００２７】
図１は、本発明の一実施形態にかかる空気調和装置１の概略構成図である。空気調和装置１は、複数の冷媒回路系統を含んでおり、送風ファンが各冷媒回路系統に対応する凝縮器に対して共通に使用されるように構成されており、蒸気圧縮式の冷凍サイクル運転を行うことによって、室内の冷房等を行う装置である。
【００２８】
空気調和装置１は、いわゆるセパレートタイプの空気調和装置であり、主として、室外ユニット２と、室内ユニット５と、室外ユニット２と室内ユニット５とを接続する冷媒連絡管６、７、８、９とを備えており、独立して蒸気圧縮式の冷凍サイクル運転を行うことが可能な複数系統（ここでは、２系統）の冷媒回路１０、１１を構成している。
【００２９】
（１）室内ユニット
室内ユニット５は、室内に設置されており、第１冷媒回路１０の一部を構成する第１室内側冷媒回路１０ｂと、第２冷媒回路１１の一部を構成する第２室内側冷媒回路１１ｂとを備えている。
【００３０】
まず、室内ユニット５の第１室内側冷媒回路１０ｂの構成について説明する。この第１室内側冷媒回路１０ｂは、主として、第１膨張機構４１と、第１室内熱交換器４２と、第１圧縮機４３とを有している。第１膨張機構４１は、主として、室外ユニット２の第１凝縮用熱交換器２１（後述）及び第１過冷却用熱交換器２４（後述）において冷却された冷媒の減圧を行うために、冷媒連絡管６を介して第１過冷却用熱交換器２４の出口に接続された電動膨張弁である。第１室内熱交換器４２は、例えば、伝熱管と多数のフィンとにより構成されたクロスフィン式のフィン・アンド・チューブ型熱交換器からなり、低圧冷媒の蒸発器として機能して室内空気を冷却する熱交換器である。第１室内熱交換器４２の入口は、第１膨張機構４１に接続されており、第１室内熱交換器４２の出口は、第１圧縮機４３の吸入側に接続されている。第１圧縮機４３は、低圧冷媒を吸入し、圧縮して高圧冷媒として吐出する機能を有する容積式圧縮機であり、第１圧縮機用モータ４４によって駆動されるように構成されている。本実施形態において、第１圧縮機４３は密閉型圧縮機であり、第１圧縮機用モータ４４は第１圧縮機４３のケーシング内に内蔵されている。本実施形態において、第１圧縮機用モータ４４は、インバータ装置を介して電力の供給を受けて駆動されるようになっており、第１圧縮機４３は、第１圧縮機用モータ４４の周波数（すなわち、回転数）を可変することによって、運転容量を可変することが可能である。また、この第１圧縮機４３の圧縮要素としては、本実施形態において、スクロール型の圧縮要素が使用されている。そして、第１圧縮機４３の吸入側は、第１室内熱交換器４２の出口に接続されており、第１圧縮機４３の吐出側は、冷媒連絡管７を介して室外ユニット２の第１凝縮用熱交換器２１の入口に接続されている。
【００３１】
次に、室内ユニット５の第２室内側冷媒回路１１ｂの構成について説明する。この第２室内側冷媒回路１１ｂは、第１室内側冷媒回路１０ｂと同様に、主として、第２膨張機構５１と、第２室内熱交換器５２と、第２圧縮機５３とを有している。第２膨張機構５１は、主として、室外ユニット２の第２凝縮用熱交換器３１（後述）及び第２過冷却用熱交換器３４（後述）において冷却された冷媒の減圧を行うために、冷媒連絡管８を介して第２過冷却用熱交換器３４の出口に接続された電動膨張弁である。第２室内熱交換器５２は、第１室内熱交換器４２と同様に、低圧冷媒の蒸発器として機能して室内空気を冷却する熱交換器である。第２室内熱交換器５２の入口は、第２膨張機構５１に接続されており、第２室内熱交換器５２の出口は、第２圧縮機５３の吸入側に接続されている。第２圧縮機５３は、第１圧縮機４３と同様に、低圧冷媒を吸入し、圧縮して高圧冷媒として吐出する機能を有する密閉型の容積式圧縮機であり、第２圧縮機５３のケーシング内に内蔵された第２圧縮機用モータ５４によって駆動されるように構成されている。また、第２圧縮機用モータ５４は、インバータ装置を介して電力の供給を受けて駆動されるようになっており、第２圧縮機５３は、第２圧縮機用モータ５４の周波数（すなわち、回転数）を可変することによって、運転容量を可変することが可能である。そして、第２圧縮機５３の吸入側は、第２室内熱交換器５２の出口に接続されており、第２圧縮機５３の吐出側は、冷媒連絡管９を介して室外ユニット２の第２凝縮用熱交換器３１の入口に接続されている。
【００３２】
また、室内ユニット５は、本実施形態において、ユニット内に吸入口（図示せず）から室内空気を吸入して、ユニット内に収容された第１室内熱交換器４２及び第２室内熱交換器５２において冷媒と熱交換させた後に、熱交換された図示しない吹出口から供給空気として室内に吹き出すための室内ファン４５を備えている。この室内ファン４５は、室内ファン用モータ４６によって駆動されるように構成されている。
【００３３】
また、室内ユニット５には、各種のセンサが設けられている。具体的には、室内ユニット５には、第１圧縮機４３の吐出圧力Ｐｄ１を検出する第１吐出圧力センサ４８や、第２圧縮機５３の吸入圧力Ｐｓ２を検出する第２吸入圧力センサ５７等が設けられている。また、室内ユニット５は、室内ユニット５を構成する圧縮機４３、５３、膨張機構４１、５１や室内ファン４５等の各部の動作を制御する室内側制御部５０を備えている。この室内側制御部５０は、室内ユニット５の制御を行うために設けられたマイクロコンピュータやメモリ等を有しており、室外ユニット２の室外側制御部２８（後述）との間で制御信号等のやりとりを行うことができるようになっている。
【００３４】
（２）室外ユニット
室外ユニット２は、室外に設置されており、第１冷媒回路１０の一部を構成する第１室外側冷媒回路１０ａと、第２冷媒回路１１の一部を構成する第２室外側冷媒回路１１ａとを備えている。
【００３５】
まず、室外ユニット２の第１室外側冷媒回路１０ａの構成について説明する。第１室外側冷媒回路１０ａは、主として、第１凝縮用熱交換器２１（第１熱交換器）と、第１過冷却用熱交換器２４（第２熱交換器）とを有している。第１凝縮用熱交換器２１は、フィンチューブ型熱交換器からなり、室外空気を熱源として、高圧冷媒の凝縮器として機能する熱交換器である。第１凝縮用熱交換器２１の出口は、第１過冷却用熱交換器２４に接続されており、第１凝縮用熱交換器２１の入口は、冷媒連絡管７を介して室内ユニット５（より具体的には、後述の第１圧縮機４３の吐出側）に接続されている。第１過冷却用熱交換器２４は、フィンチューブ型熱交換器からなり、室外空気を熱源として、第１凝縮用熱交換器２１において凝縮された冷媒をさらに冷却する過冷却器として機能する熱交換器である。
【００３６】
次に、室外ユニット２の第２室外側冷媒回路１１ａの構成について説明する。第２室外側冷媒回路１１ａは、第１室外側冷媒回路１０ａと同様に、主として、第２凝縮用熱交換器３１（第１熱交換器）と、第２過冷却用熱交換器３４（第２熱交換器）とを有している。第２凝縮用熱交換器３１は、フィンチューブ型熱交換器からなり、室外空気を熱源として、高圧冷媒の凝縮器として機能する熱交換器である。第２凝縮用熱交換器３１の出口は、第２過冷却用熱交換器３４に接続されており、第２凝縮用熱交換器３１の入口は、冷媒連絡管７を介して室内ユニット５（より具体的には、後述の第２圧縮機５３の吐出側）に接続されている。第２過冷却用熱交換器３４は、フィンチューブ型熱交換器からなり、室外空気を熱源として、第２凝縮用熱交換器３１において凝縮された冷媒をさらに冷却する過冷却器として機能する熱交換器である。
【００３７】
次に、室外ユニット２の構造について、図１〜図４を用いて説明する。ここで、図２は、室外ユニット２の上面図である。図３は、図２のＡ−Ａ断面図である。図４は、熱交換器２１、２４、３１、３４がユニットケーシング内に配置された状態を示す斜視図である。
【００３８】
室外ユニット２は、上面以外の面から空気を吸入して熱交換した後に上面から空気を吹き出すタイプであり、主として、ユニットケーシング１３と、ユニットケーシング１３内に配置された室外側冷媒回路１０ａ、１１ａと、ユニットケーシング１３内に配置された室外ファン２２（送風ファン）と、ユニットケーシング１３内に配置された電装品箱１４とを備えている。
【００３９】
ユニットケーシング１３は、略直方体形状であり、主として、上面を形成する天板６１と、前面を形成する前板６２と、後面を形成する後板６３と、側面を形成する１対の側板６４と、下面を形成する底板６５とを有している。
【００４０】
天板６１は、中央に形成された開口からなる吹出口１３ｃを有しており、開口の上部を覆うようにファングリル（図示せず）が設けられており、開口の周縁部から下方に向かってベルマウス６１ａが設けられている。そして、ユニットケーシング１３内に吸入された空気は、吹出口１３ｃから上方に向かって吹き出されるようになっている（図３中の矢印Ｄ参照）。前板６２は、前面側からユニットケーシング１３内に空気を吸入するための前面吸入口１３ａを有している（図２、３中の矢印Ｂ参照）。本実施形態において、前面吸入口１３ａは、詳細は図示しないが、電装品箱１４が対向する部分を除く面に設けられた開口からなる。後板６３は、後面側からユニットケーシング１３内に空気を吸入するための後面吸入口１３ｂを有している（図２、３中の矢印Ｃ参照）。本実施形態において、後面吸入口１３ｂは、詳細は図示しないが、ほぼ全面に設けられた開口からなる。底板６５は、室外側冷媒回路１０ａ、１１ａを構成する機器及び配管類を支持・固定している。
【００４１】
室外ファン２２は、本実施形態において、ユニットケーシング１３内に吸入口１３ａ、１３ｂから室外空気（図２、３中の矢印Ｂ、Ｃ参照）を吸入して、ユニットケーシング１３内に収容された熱交換器２１、２４、３１、３４において冷媒と熱交換させた後に、熱交換された図示しない吹出口から排出空気（図３中の矢印Ｄ参照）として室外に吹き出すための送風ファンであり、ここでは、プロペラファンからなる。この室外ファン２２は、室外ファン用モータ２３によって駆動されるように構成されている。室外ファン用モータ２３は、図示しない支持フレームを介して、ユニットケーシング１３に固定されている。より具体的には、室外ファン２２は、吹出口１３ｃに対向するように、そして、前板６２の上部に対応する位置に配置されている。これにより、室外ファン２２は、吸入口１３ａ、１３ｂを通じて、室外空気をユニットケーシング１３の前面及び後面からユニットケーシング１３の内部に吸入して、熱交換器２１、２４、３１、３４を通過させた後、ユニットケーシング１３の上部に導いて吹出口１３ｃから吹き出すことが可能である。
【００４２】
電装品箱１４は、インバータや制御基板等の電気部品が収容された箱体であり、ユニットケーシング１３の前面（すなわち、前板６２）の上下方向中央付近に対向するように配置されている。電装品箱１４に収容された制御基板等には、室外ユニット２の制御を行うために設けられたマイクロコンピュータやメモリ等が実装されており、これらのマイクロコンピュータやメモリ等が室外ユニット２の各部（例えば、室外ファン２２等）の動作を制御する室外側制御部２８を構成している。そして、室外側制御部２８は室内ユニット５の室内側制御部５０との間で制御信号等のやりとりを行うことができるようになっており、室内側制御部５０とともに空気調和装置１の制御装置１２を構成している。
【００４３】
第１室外側冷媒回路１０ａを構成する第１凝縮用熱交換器２１は、本実施形態において、伝熱管２１ａと多数のフィン２１ｂとにより構成されたクロスフィン式のフィン・アンド・チューブ型熱交換器をパネル状に形成したものであり、その上端部がユニットケーシング１３の上面以外の面の一つである前面（すなわち、前板６２）の上部に近接するとともに、下端部に向かうにつれて上端部が近接する面（ここでは、前面）から遠ざかるように傾斜した状態で配置されている。そして、第１凝縮用熱交換器２１の下端部は、ユニットケーシング１３の前後方向の中間付近に配置されている。尚、第１凝縮用熱交換器２１の左右方向側（すなわち、側板６４側）の両端部には、管板２１ｃが設けられており、この管板２１ｃを介して、第１凝縮用熱交換器２１がユニットケーシング１３に固定されている。
【００４４】
第１室外側冷媒回路１０ａを構成する第１過冷却用熱交換器２４は、本実施形態において、伝熱管２４ａと多数のフィン２４ｂとにより構成されたクロスフィン式のフィン・アンド・チューブ型熱交換器をパネル状に形成したものであり、第１凝縮用熱交換器２１とは別体に構成されている。しかも、第１過冷却用熱交換器２４の左右方向側（すなわち、側板６４側）の両端部には、管板２４ｃが設けられており、この管板２４ｃを介して、第１過冷却用熱交換器２４がユニットケーシング１３に固定されている。これにより、例えば、第１過冷却用熱交換器２４のサイズとの兼ね合いを考慮することなく、第１凝縮用熱交換器２１の通風抵抗の低減や凝縮能力の向上等のために、第１凝縮用熱交換器２１のサイズを大きくすることができる。また、ユニットケーシング１３内における機器の配置の自由度が増している。さらに、第１凝縮用熱交換器２１のサイズとの兼ね合いを考慮することなく、室内ユニット５と室外ユニット２とを接続する冷媒連絡管６における冷媒のフラッシュ防止等のために、第１過冷却用熱交換器２４のサイズを大きくすることができる。このように、この室外ユニット２では、第１凝縮用熱交換器２１の凝縮能力及び第１過冷却用熱交換器２４の過冷却能力を損なうことなく、凝縮能力や過冷却能力に関連する種々のニーズに対応することができる。
【００４５】
そして、第１過冷却用熱交換器２４は、第１凝縮用熱交換器２１、第１凝縮用熱交換器２１の上端部が近接する面（ここでは、前面）及び下面（すなわち、底板６５）に挟まれた空間Ｓ１に配置されており、ユニットケーシング１３内のデッドスペースを有効に利用している。
【００４６】
また、このような第１過冷却用熱交換器２４の配置を採用することにより、第１過冷却用熱交換器２４は、第１凝縮用熱交換器２１に対して、前面吸入口１３ａから吹出口１３ｃに向かってユニットケーシング１３内を流れる空気流の流れ方向の上流側に配置されることになる。これにより、この室外ユニット２では、第１凝縮用熱交換器２１において熱交換が行われる前の空気によって第１過冷却用熱交換器２４を流れる冷媒を冷却することができるため、第１凝縮用熱交換器２１及び第１過冷却用熱交換器２４における熱交換を効率よく行うことができる。
【００４７】
また、本実施形態においては、ユニットケーシング１３の前面（すなわち、前板６２）に対向するように電装品箱１４が配置されているため、第１過冷却用熱交換器２４を電装品箱１４の下側に配置することで、電装品箱１４の下側におけるユニットケーシング１３内のデッドスペースを有効利用している。
【００４８】
さらに、第１凝縮用熱交換器２１を構成する多数のフィン２１ｂは、所定の第１ピッチＰ１で並んで配置されており（第２凝縮用熱交換器３１も同様であるため、図４の第２凝縮用熱交換器３１に示される第１ピッチＰ１を参照）、第１過冷却用熱交換器２４を構成する多数のフィン２４ｂは、所定の第２ピッチＰ２で並んで配置されており（第２過冷却用熱交換器３４も同様であるため、図４の第２過冷却用熱交換器３４に示される第２ピッチＰ２を参照）、第２ピッチＰ２が第１ピッチＰ１よりも大きくなるように設定されている。これにより、この室外ユニット２では、第１凝縮用熱交換器２１のフィンピッチ（ここでは、第１ピッチＰ１）よりも第１過冷却用熱交換器２４のフィンピッチ（ここでは、第２ピッチＰ２）が大きくなるように設定されているため、第１過冷却用熱交換器２４を通過する際の通風抵抗を小さくすることができ、第１凝縮用熱交換器２１及び第１過冷却用熱交換器２４全体における通風抵抗の均等化（すなわち、前面吸入口１３ａから吹出口１３ｃを通過する空気の流れの均等化）を図ることができる。
【００４９】
第２室外側冷媒回路１１ａを構成する第２凝縮用熱交換器３１は、本実施形態において、伝熱管３１ａと多数のフィン３１ｂとにより構成されたクロスフィン式のフィン・アンド・チューブ型熱交換器をパネル状に形成したものであり、その上端部がユニットケーシング１３の上面以外の面の一つである後面（すなわち、後板６３）の上部に近接するとともに、下端部に向かうにつれて上端部が近接する面（ここでは、後面）から遠ざかるように傾斜した状態で配置されている。そして、第２凝縮用熱交換器３１の下端部は、ユニットケーシング１３の前後方向の中間付近に配置されている。尚、第２凝縮用熱交換器３１の左右方向側（すなわち、側板６４側）の両端部には、管板３１ｃが設けられており、この管板３１ｃを介して、第１凝縮用熱交換器３１がユニットケーシング１３に固定されている。
【００５０】
第２室外側冷媒回路１１ａを構成する第２過冷却用熱交換器３４は、本実施形態において、第１過冷却用熱交換器２４と同様、伝熱管３４ａと多数のフィン３４ｂとにより構成されたクロスフィン式のフィン・アンド・チューブ型熱交換器をパネル状に形成したものであり、第２凝縮用熱交換器３１とは別体に構成されている。これにより、この室外ユニット２では、第１室外側冷媒回路１０ａ側と同様に、第２凝縮用熱交換器３１の凝縮能力及び第２過冷却用熱交換器３４の過冷却能力を損なうことなく、凝縮能力や過冷却能力に関連する種々のニーズに対応することができる。
【００５１】
そして、第２過冷却用熱交換器３４は、第２凝縮用熱交換器３１、第２凝縮用熱交換器３１の上端部が近接する面（ここでは、後面）及び下面（すなわち、底板６５）に挟まれた空間Ｓ２に配置されており、ユニットケーシング１３の前面側と同様に、ユニットケーシング１３内のデッドスペースを有効に利用している。
【００５２】
また、このような第２過冷却用熱交換器３４の配置を採用することにより、第２過冷却用熱交換器３４は、第２凝縮用熱交換器３１に対して、後面吸入口１３ｂから吹出口１３ｃに向かってユニットケーシング１３内を流れる空気流の流れ方向の上流側に配置されることになる。これにより、この室外ユニット２では、第１室外側冷媒回路１０ａ側と同様に、第２凝縮用熱交換器３１において熱交換が行われる前の空気によって第２過冷却用熱交換器３４を流れる冷媒を冷却することができるため、第２凝縮用熱交換器３１及び第２過冷却用熱交換器３４における熱交換を効率よく行うことができる。
【００５３】
また、本実施形態においては、第２過冷却用熱交換器３４の左右方向側（すなわち、側板６４側）の両端部には、管板３４ｃが設けられており、この管板３４ｃを介して、第２過冷却用熱交換器３４が、管板３１ｃを介して第２凝縮用熱交換器３１に固定されており、第２過冷却用熱交換器３４は、第２凝縮用熱交換器３１に対して、後面吸入口１３ｂから吹出口１３ｃに向かってユニットケーシング１３内を流れる空気流の流れ方向に対向し、かつ、第２凝縮用熱交換器３１に近接して配置されることになる。これにより、この室外ユニット２では、第２凝縮用熱交換器３１と第２過冷却用熱交換器３４とが一体に構成されていないにもかかわらず、第２凝縮用熱交換器３１及び第２過冷却用熱交換器３４の設置スペースが小さくて済むようになる。
【００５４】
さらに、第２凝縮用熱交換器３１を構成する多数のフィン３１ｂは、所定の第１ピッチＰ１で並んで配置されており、第２過冷却用熱交換器３４を構成する多数のフィン３４ｂは、所定の第２ピッチＰ２で並んで配置されており、第２ピッチＰ２が第１ピッチＰ１よりも大きくなるように設定されている。これにより、この室外ユニット２では、第２凝縮用熱交換器３１のフィンピッチ（ここでは、第１ピッチＰ１）よりも第２過冷却用熱交換器３４のフィンピッチ（ここでは、第２ピッチＰ２）が大きくなるように設定されているため、第２過冷却用熱交換器３４を通過する際の通風抵抗を小さくすることができ、第２凝縮用熱交換器３１及び第２過冷却用熱交換器３４全体における通風抵抗の均等化（すなわち、後面吸入口１３ｂから吹出口１３ｃを通過する空気の流れの均等化）を図ることができる。
【００５５】
（３）他の実施形態
以上、本発明の実施形態について図面に基づいて説明したが、具体的な構成は、これらの実施形態に限られるものではなく、発明の要旨を逸脱しない範囲で変更可能である。
【００５６】
（Ａ）
上述の実施形態の空気調和装置１においては、室内ユニットに圧縮機が設けられた、いわゆるリモートコンデンサタイプであったが、室外ユニットに圧縮機が設けられている等のように、他のタイプの空気調和装置であってもよい。
【００５７】
（Ｂ）上述の実施形態の空気調和装置１では、複数の冷媒回路系統（具体的には、第１冷媒回路１０及び第２冷媒回路１１）に対応する凝縮器及び過冷却器（具体的には、第１凝縮用熱交換器２１及び第１過冷却用熱交換器２４と、第２凝縮用熱交換器３１及び第２過冷却用熱交換器３４と）をまとめて、１つの室外ユニット２に収容しているが、系統ごとに複数の室外ユニットに分けて収容するようにしてもよい。この場合においても、各室外ユニットに対して、本発明を適用することができる。
【００５８】
（Ｃ）上述の実施形態の空気調和装置１では、室外ユニット２に収容された熱交換器２１、２４、３１、３４として、クロスフィン式のフィン・アンド・チューブ型熱交換器を採用しているが、コルゲートフィン式のフィンチューブ型熱交換器等のように、他の型式のフィンチューブ型熱交換器であってもよい。
【産業上の利用可能性】
【００５９】
本発明を利用すれば、空気を熱源とするフィンチューブ型の熱交換器を備えた室外ユニットにおいて、熱交換器の凝縮能力及び過冷却能力を損なうことなく、凝縮能力や過冷却能力に関連する種々のニーズに対応できるようになる。
【図面の簡単な説明】
【００６０】
【図１】本発明の一実施形態にかかる空気調和装置の概略構成図である。
【図２】室外ユニットの上面図である。
【図３】図２のＡ−Ａ断面図である。
【図４】凝縮用熱交換器及び過冷却用熱交換器がユニットケーシング内に配置された状態を示す斜視図である。
【符号の説明】
【００６１】
２  室外ユニット
１３  ユニットケーシング
１３ａ  前面吸入口（吸入口）
１３ｂ  後面吸入口（吸入口）
１３ｃ  吹出口
１４  電装品箱
２１  第１凝縮用熱交換器（第１熱交換器）
２１ａ  伝熱管
２１ｂ  フィン
２２  室外ファン（送風ファン）
２４  第１過冷却用熱交換器（第２熱交換器）
２４ａ  伝熱管
２４ｂ  フィン
３１  第２凝縮用熱交換器（第１熱交換器）
３１ａ  伝熱管
３１ｂ  フィン
３４  第２過冷却用熱交換器（第２熱交換器）
３４ａ  伝熱管
３４ｂ  フィン
Ｐ１  第１ピッチ
Ｐ２  第２ピッチ
Ｓ１、Ｓ２  空間
【図１】
2008089258.tif 000003
【図２】
2008089258.tif 000004
【図３】
2008089258.tif 000005
【図４】
2008089258.tif 000006